(57)【特許請求の範囲】
【請求項１】
位置情報の取得を試みる位置情報取得部と、
前記位置情報取得部により取得された位置情報を用いて、前記位置情報間の移動軌跡を表示部に表示する移動軌跡表示制御部と、
ユーザの移動速さ又はユーザの移動手段を基準に所定の閾値を設定できる設定部と、
前記設定部で設定された前記所定の閾値と前記取得時点間の時間間隔の比較によって、前記時間間隔の長短を判断する取得時間長判断部と、
を備え、
前記移動軌跡表示制御部は、前記取得時間長判断部が判断した結果に基づいて、移動軌跡の表示を切り替える
移動情報表示制御装置。
【請求項２】
前記移動軌跡表示制御部は、
前記取得時間長判断部により前記取得時点間の時間間隔が短いと判断された場合に前記位置情報間の移動軌跡を第１の形式で表示し、
前記取得時間長判断部により前記取得時点間の時間間隔が長いと判断された場合に前記位置情報間の移動軌跡を第２の形式で表示する
請求項１に記載の移動情報表示制御装置。
【請求項３】
前記取得時間長判断部は、Ｎ個（Ｎ≧２）の所定の閾値を基準にし、各前記閾値に対して前記取得時点間の時間間隔の長短を判断し、
前記移動軌跡表示部は、
前記取得時間長判断部により前記取得時点間の時間間隔が第１番目の閾値よりも短いと判断された場合に前記位置情報間の移動軌跡を第１の形式で表示し、
前記取得時間長判断部により前記取得時点間の時間間隔が第ｎ番目（１≦ｎ≦Ｎ−１）の閾値よりも長く、かつ、第ｎ＋１番目の閾値よりも短いと判断された場合に前記位置情報間の移動軌跡を第ｎ＋１の形式で表示し、
前記取得時間長判断部により前記取得時点間の時間間隔が第Ｎ番目の閾値よりも長いと判断された場合に前記位置情報間の移動軌跡を第Ｎ＋１の形式で表示することを特徴とする、請求項２に記載の移動情報表示制御装置。
【請求項４】
前記移動軌跡表示制御部は、前記位置情報取得部により位置情報が取得された日付に応じて当該日付の相違が区別可能な形式で前記位置情報間の移動軌跡を表示する
請求項１に記載の移動情報表示制御装置。
【請求項５】
前記位置情報取得部により取得された複数の位置情報の中で取得時点間の時間間隔が所定値よりも大きい２つの位置情報に対し、その位置情報間における移動方向を示す方向指標を地図上に表示する方向指標表示部をさらに備える
請求項１に記載の移動情報表示制御装置。
【請求項６】
前記位置情報取得部により取得された位置情報の中で、所定の地図範囲に含まれる位置情報を抽出する範囲内位置抽出部をさらに備え、
前記移動軌跡表示制御部は、前記範囲内位置抽出部により抽出された位置情報を前記地図上に表示する
請求項１に記載の移動情報表示制御装置。
【請求項７】
前記移動軌跡表示制御部は、前記取得時点間の時間間隔が所定値よりも長い場合に前記位置情報間の移動軌跡を表示しない
請求項１に記載の移動情報表示制御装置。
【請求項８】
画像情報を取得する画像情報取得部と、
前記位置情報取得部により取得された位置情報に基づいて前記画像情報の撮影位置を決定する撮影位置決定部と、
前記撮影位置決定部により決定された撮影位置に対応する地図上の位置に前記画像情報を表示する画像情報表示部と、
をさらに備える
請求項１に記載の移動情報表示制御装置。
【請求項９】
位置情報の取得を試みる位置情報取得ステップと、
前記位置情報取得ステップで取得された位置情報を用いて、前記位置情報間の移動軌跡を表示部に表示する移動軌跡表示制御ステップと、
ユーザの移動速さ又はユーザの移動手段を基準に所定の閾値を設定する設定ステップと、
前記設定ステップで設定された前記所定の閾値と前記取得時点間の時間間隔の比較によって、前記時間間隔の長短を判断する取得時間長判断ステップと、
を含み、
前記移動軌跡表示制御ステップでは、前記取得時間長判断ステップで判断した結果に基づいて、移動軌跡の表示が切り替えられる
移動情報表示制御方法。
【請求項１０】
請求項１〜８のいずれかに記載の移動情報表示制御装置が有する機能をコンピュータに実現させるためのプログラム。
【発明の詳細な説明】
【技術分野】
【０００１】
本発明は、移動情報表示装置、移動情報表示方法、及びプログラムに関する。
【背景技術】
【０００２】
近年、無線通信技術、及び情報処理技術の急速な発展に伴い、携帯端末や撮像装置等の小型機器にも様々な情報処理機能が搭載されるようになってきている。例えば、ある撮像装置には、ＧＰＳ（Ｇｌｏｂａｌ  Ｐｏｓｉｔｉｏｎｉｎｇ  Ｓｙｓｔｅｍ）等の位置情報取得機能が搭載されており、撮影画像に位置情報を付加して記録することが可能になっている。そのため、ユーザは、被写体を撮影した場所や日時の情報に基づいて撮影画像を整理することなどもできる。また、ユーザは、撮影場所や撮影日時等の付加情報に基づいて地図上に撮影場所を表示し、撮影画像を共に眺めながら旅行の思い出を振り返るために利用することもできる。
【０００３】
さらに、旅程を辿れる程度に撮影画像の数が多くない場合、ユーザは、ＧＰＳ等の位置情報取得機能を用いて取得された位置情報に基づいて移動軌跡を地図上に表示し、その移動軌跡と共に撮影画像を参照しながら旅行の思い出を振り返ることもできる。いずれにせよ、上記のような利用に際して位置情報の取得可能性が重要になる。ところが、現状の測位技術によると、取得地点の環境や電波状況等に応じて位置情報が取得不能な地理的環境が存在する。そのため、移動軌跡を正確に表示できない場合もある。
【０００４】
上記の技術に関連し、例えば、下記の特許文献１には、ＧＰＳを利用して位置情報を検出し、撮影画像の属性情報として設定する技術が開示されている。また、当該文献には、位置情報として緯度や経度の情報を取得して撮影画像の属性情報に含める技術や時間情報を属性情報に含める技術も開示されている。さらに、当該文献には、撮影画像の属性情報に基づいてユーザの移動軌跡を表示する技術も開示されている。
【０００５】
【特許文献１】特開２００７−１５８８８７号公報
【発明の開示】
【発明が解決しようとする課題】
【０００６】
しかしながら、上記の技術を利用したとしても、位置情報が取得されていない地点に関しては、その地点の情報を無視して位置情報間を結ぶ移動軌跡が表示されてしまい、例えば、高層ビル等の建造物をユーザが透過して移動するような現実的に起こり得ないような移動軌跡が表示される可能性がある。また、歩行移動の行程であるにも関わらず、河川や港湾を跨ぐような移動軌跡が表示される可能性もある。さらに、位置情報が取得されない時間が比較的長い場合に、ユーザが高速な移動手段を利用したのか、或いは、単に位置情報が取得されなかっただけなのかを判別することが難しくなり、ユーザが旅程を回想する際の大きな妨げになってしまう。
【０００７】
そこで、本発明は、上記問題に鑑みてなされたものであり、本発明の目的とするところは、位置情報の取得時間間隔の長さに応じて移動軌跡の表示形式を変更することが可能な、新規かつ改良された移動情報表示装置、移動情報表示方法、及びプログラムを提供することにある。
【課題を解決するための手段】
【０００８】
上記課題を解決するために、本発明のある観点によれば、位置情報と移動軌跡の情報とを地図上に表示する移動情報表示装置が提供される。当該移動情報表示装置は、所定の時間間隔で位置情報の取得を試みる位置情報取得部と、前記位置情報取得部により続けて取得された位置情報に対し、その取得時点間の時間間隔に応じて区別された形式で前記位置情報間の移動軌跡を表示する移動軌跡表示部と、を備えることを特徴とする。
【０００９】
また、前記移動情報表示装置は、所定の閾値を基準に前記取得時点間の時間間隔の長短を判断する取得時間長判断部をさらに備えていてもよい。そして、前記移動軌跡表示部は、前記取得時間長判断部により前記取得時点間の時間間隔が短いと判断された場合に前記位置情報間の移動軌跡を第１の形式で表示し、前記取得時間長判断部により前記取得時点間の時間間隔が長いと判断された場合に前記位置情報間の移動軌跡を第２の形式で表示するものであってもよい。
【００１０】
また、前記取得時間長判断部は、Ｎ個（Ｎ≧２）の所定の閾値を基準にし、各前記閾値に対して前記取得時点間の時間間隔の長短を判断するものであってもよい。さらに、前記移動軌跡表示部は、前記取得時間長判断部により前記取得時点間の時間間隔が第１番目の閾値よりも短いと判断された場合に前記位置情報間の移動軌跡を第１の形式で表示し、前記取得時間長判断部により前記取得時点間の時間間隔が第ｎ番目（１≦ｎ≦Ｎ−１）の閾値よりも長く、かつ、第ｎ＋１番目の閾値よりも短いと判断された場合に前記位置情報間の移動軌跡を第ｎ＋１の形式で表示し、前記取得時間長判断部により前記取得時点間の時間間隔が第Ｎ番目の閾値よりも長いと判断された場合に前記位置情報間の移動軌跡を第Ｎ＋１の形式で表示するものであってもよい。
【００１１】
また、前記移動軌跡表示部は、前記位置情報取得部により位置情報が取得された日付に応じて当該日付の相違が区別可能な形式で前記位置情報間の移動軌跡を表示するものであってもよい。
【００１２】
また、前記移動情報表示装置は、前記位置情報取得部により取得された複数の位置情報の中で取得時点間の時間間隔が所定値よりも大きい２つの位置情報に対し、その位置情報間における移動方向を示す方向指標を地図上に表示する方向指標表示部をさらに備えていてもよい。
【００１３】
また、前記移動情報表示装置は、前記位置情報取得部により取得された位置情報の中で、所定の地図範囲に含まれる位置情報を抽出する範囲内位置抽出部をさらに備えていてもよい。さらに、前記移動軌跡表示部は、前記範囲内位置抽出部により抽出された位置情報を前記地図上に表示するものであってもよい。
【００１４】
また、前記移動軌跡表示部は、前記取得時点間の時間間隔が所定値よりも長い場合に前記位置情報間の移動軌跡を表示しなくてもよい。
【００１５】
また、前記移動情報表示装置は、画像情報を取得する画像情報取得部と、前記位置情報取得部により取得された位置情報に基づいて前記画像情報の撮影位置を決定する撮影位置決定部と、前記撮影位置決定部により決定された撮影位置に対応する地図上の位置に前記画像情報を表示する画像情報表示部とをさらに備えていてもよい。
【００１６】
また、上記課題を解決するために、本発明の別の観点によれば、位置情報と移動軌跡の情報とを地図上に表示するための移動情報表示方法が提供される。当該移動情報表示方法は、所定の時間間隔で位置情報の取得が試みられる位置情報取得ステップと、前記位置情報取得ステップで続けて取得された位置情報に対し、その取得時点間の時間間隔に応じて区別された形式により前記位置情報間の移動軌跡が表示される移動軌跡表示ステップと、を含むことを特徴とする。
【００１７】
また、上記課題を解決するために、本発明の別の観点によれば、上記の移動情報表示装置が有する機能をコンピュータに実現させるためのプログラムが提供される。さらに、当該プログラムが記録された記録媒体が提供されうる。
【発明の効果】
【００１８】
以上説明したように本発明によれば、位置情報の取得時間間隔の長さに応じて移動軌跡の表示形式を変更することができるため、より見易い移動情報の提供が可能になる。
【発明を実施するための最良の形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
＜本発明の一実施形態＞
本発明の一実施形態について説明する。本実施形態は、複数の位置情報が取得された際に、その位置情報が取得された取得時点の時間間隔長に応じて移動軌跡の表示形式を変化させる技術に主な特徴がある。そこで、この技術を実現可能な装置の機能構成、及び当該装置により実現される表示方法の流れについて、以下で詳細に説明する。
【００２１】
［移動情報表示装置１００の機能構成］
まず、図１を参照しながら、本実施形態に係る移動情報表示装置１００の機能構成について説明する。図１は、本実施形態に係る移動情報表示装置１００の機能構成を示す説明図である。
【００２２】
図１に示すように、移動情報表示装置１００は、主に、地図表示範囲決定部１０２と、地図情報表示部１０４と、位置情報ログ取得部１０８と、位置情報ログ表示部１１０と、方向指標表示部１１４と、移動軌跡表示部１１２と、画像情報取得部１１６と、画像情報表示部１１８とにより構成される。また、移動軌跡表示部１１２は、時間差判断部１２２と、日付判断部１２４とを含む。尚、位置情報ログ取得部１０８は、位置情報取得部及び範囲内位置抽出部の一例である。また、時間差判断部１２２は、取得時間長判断部の一例である。さらに、画像情報取得部１１６は、撮影位置決定部の一例である。
【００２３】
（地図表示範囲決定部１０２）
地図表示範囲決定部１０２は、表示装置３０に表示される地図情報の表示範囲を決定する手段である。例えば、地図表示範囲決定部１０２は、所定期間内に取得された位置情報の一部又は全部、或いは、ユーザにより指定された位置情報が含まれるように地図情報の表示範囲を決定する。また、地図表示範囲決定部１０２は、ユーザにより指定された位置情報を基準にして所定期間内に取得された全ての位置情報を含むように地図情報の表示範囲を決定してもよい。そして、地図表示範囲決定部１０２は、決定した表示範囲の情報を地図情報表示部１０４、及び位置情報ログ表示部１１０に伝送する。
【００２４】
（地図情報表示部１０４）
地図情報表示部１０４は、地図表示範囲決定部１０２により決定された表示範囲が含まれるように地図情報を表示装置３０に表示させるための制御手段である。例えば、地図情報表示部１０４は、表示装置３０の画面範囲に上記の決定された表示範囲が収まるように地図情報を拡大又は縮小したり、或いは、スクロール操作をするためのスクロール手段を付加して表示してもよい。
【００２５】
（位置情報ログ取得部１０８）
位置情報ログ取得部１０８は、所定の測位手段から位置情報を取得する手段である。例えば、位置情報ログ取得部１０８は、基地局１０又はＧＰＳ等の測位システムから移動情報表示装置１００の位置情報を取得する。また、位置情報ログ取得部１０８は、所定の測位手段に対して所定時間間隔で位置情報の提供を要請することができる。このとき、位置情報ログ取得部１０８は、例えば、要請処理を実行した履歴と、要請に応じて得られた位置情報とを位置情報ログとして記録する。
【００２６】
この位置情報ログは、例えば、位置情報を要請又は取得した時点の時間情報と、取得した位置情報又は取得失敗を示す情報とが対応付けて記録されたデータベースであってもよい。そして、位置情報ログ取得部１０８は、位置情報ログを位置情報ログ表示部１１０、方向指標表示部１１４、移動軌跡表示部１１２、画像情報取得部１１６に伝送する。但し、地図情報の表示範囲が決定される際に位置情報が参照される場合、位置情報ログ取得部１０８は、地図表示範囲決定部１０２にも位置情報ログを伝送する。
【００２７】
（位置情報ログ表示部１１０）
位置情報ログ表示部１１０は、地図情報表示部１０４により表示された地図上に位置情報を表示する手段である。例えば、位置情報ログ表示部１１０は、地図表示範囲決定部１０２により決定された地図情報の表示範囲に含まれる位置情報を位置情報ログから抽出して地図上に表示してもよい。
【００２８】
また、位置情報ログ表示部１１０は、位置情報ログに含まれる位置情報が正常な位置情報であるか、或いは、非正常な位置情報であるかを判断する。正常な位置情報とは、ＧＰＳ等の測位手段により、位置情報の要請時点で取得された位置情報である。一方、非正常な位置情報とは、位置情報の要請時点より過去に取得された古い位置情報である。例えば、ある基地局１０は、ＧＰＳ等の測位システムから位置情報を取得できなかった場合に古い位置情報を提供することがある。つまり、このような古い位置情報は非正常な位置情報である。そこで、位置情報ログ表示部１１０は、非正常な位置情報を表示せずに、正常な位置情報のみを地図上に表示してもよい。
【００２９】
（移動軌跡表示部１１２（時間差判断部１２２、日付判断部１２４））
移動軌跡表示部１１２は、位置情報間を結ぶ移動軌跡を表示装置３０に表示させる手段である。例えば、移動軌跡表示部１１２は、位置情報ログに含まれる位置情報に基づき、時間的に続けて取得された位置情報間を所定形式の直線又は曲線で結ぶことにより、移動軌跡を表示する。また、移動軌跡表示部１１２は、移動軌跡で結ばれる位置情報間の時間間隔に応じて移動軌跡の表示形式を変えることができる。そのため、移動軌跡表示部１１２は、時間差判断部１２２、及び日付判断部１２４を含んでいる。
【００３０】
まず、時間差判断部１２２は、位置情報ログに記載された位置情報毎の取得時点を参照し、続けて取得された位置情報の取得時間差を算出する。そして、時間差判断部１２２は、その取得時間差と所定の閾値とを比較する。取得時間差が所定の閾値よりも小さい場合、移動軌跡表示部１１２は、位置情報の取得時間差が小さいものとして第１の形式で移動軌跡を表示させる。逆に、取得時間差が所定の閾値よりも大きい場合、移動軌跡表示部１１２は、位置情報の取得時間差が大きいものとして第２の形式で移動軌跡を表示させる。
【００３１】
もちろん、時間差判断部１２２は、複数の閾値を基準にして取得時間差の大小を判断することもできる。例えば、時間差判断部１２２は、第１の閾値と第２の閾値（≧第１の閾値）とを基準にし、取得時間差が第１の閾値よりも小さい場合（ケース１）、第１の閾値と第２の閾値との間に位置する場合（ケース２）、第２の閾値よりも大きい場合（ケース３）のいずれであるかを判断する。このとき、移動軌跡表示部１１２は、ケース１の場合に第１の形式で、ケース２の場合に第２の形式で、そして、ケース３の場合に第３の形式で移動軌跡を表示させる。尚、閾値が３つ以上の場合も、同様に形式が区別されて表示されうる。
【００３２】
上記の表示形式は、各区分を識別することが可能な形式であれば、どのような形式でもよい。例えば、表示形式の識別は、実線、鎖線、点線、又は一点鎖線等の形状変化により実現してもよいし、或いは、線の太さや色彩の変化等により実現してもよい。
【００３３】
また、上記の閾値は、移動情報表示装置１００の製造時に予め設定されていてもよいし、或いは、ユーザにより自由に設定されるものであってもよい。閾値を決める際、例えば、移動情報表示装置１００の移動速さ（つまり、ユーザの移動速さ）を基準に設定することもできる。例えば、ユーザが歩行移動している場合に高層ビル等の障害物によって位置情報が取得できないでいる時間間隔の統計値（例えば、平均値又は中間値等）を第１の閾値に設定し、ユーザが地下鉄移動している場合に位置情報が取得できないでいる時間間隔の統計値を第２の閾値に設定してもよい。
【００３４】
もちろん、ユーザの移動手段としては、歩行、鉄道の他、自動車、航空機、又は船舶等の高速な移動手段も考えられる。さらに、位置情報を取得できない環境としては、建造物の陰や地下の他、トンネル内や海上等に位置する場合が考えられる。また、ユーザにより移動手段が登録され、その移動手段の種類に応じて閾値が自動的に設定されてもよい。例えば、高速な移動手段の場合に閾値が大きめに設定され、低速な移動手段の場合に閾値が小さめに設定されてもよい。このように、閾値がユーザの移動手段や環境等を想定して設定されると、移動軌跡の表示形式を参考にして移動手段を推測又は想起したり、或いは、位置情報の未取得原因を予想したりすることができる。
【００３５】
次に、日付判断部１２４は、位置情報ログに含まれる位置情報毎に、その位置情報が取得された日付を識別する手段である。つまり、日付判断部１２４は、位置情報ログに含まれる位置情報を日付毎に分類する。例えば、日付判断部１２４は、位置情報ログに含まれる位置情報の中で最も古いものを選択し、その位置情報の取得日付を基準の日付に設定する。そして、日付判断部１２４は、位置情報ログに含まれる位置情報を時系列で抽出し、基準の日付と同じ日付か否かを判断してもよい。また、日付判断部１２４は、異なる取得日付の位置情報が発見されると、その日付を新たに基準の日付に設定した上で、時間的に後の位置情報に関する取得日付を判断してもよい。或いは、日付判断部１２４は、位置情報ログに含まれる位置情報を時系列に参照し、取得された日付が変化した位置情報を抽出してもよい。
【００３６】
そして、移動軌跡表示部１１２は、日付判断部１２４の判断結果に基づいて移動軌跡の表示形式を日付毎に変化させることができる。このとき、移動軌跡表示部１１２は、例えば、同一日付の位置情報を結ぶ移動軌跡を第１の形式で表示させ、移動軌跡が異なる日付を跨ぐ場合に第２の形式で表示させてもよい。さらに、移動軌跡表示部１１２は、同一日付の位置情報を結ぶ移動軌跡に関して、日付毎に表示形式を区別して移動軌跡を表示させてもよい。これらの表示形式は、各区分を識別することが可能な形式であれば、どのような形式でもよい。例えば、表示形式の識別は、実線、鎖線、点線、又は一点鎖線等の形状変化により実現してもよいし、或いは、線の太さや色彩の変化等により実現してもよい。但し、時間差判断部１２２の判断に基づく表示形式の区別と、日付判断部１２４の判断に基づく表示形式の区別とは、独立した表示形式により実現される方が好適である。
【００３７】
尚、移動軌跡表示部１１２は、地図表示範囲決定部１０２により決定された表示範囲外に位置する位置情報に接続される移動軌跡を表示せず、表示範囲内の移動軌跡のみを表示してもよい。逆に、移動軌跡表示部１１２は、移動軌跡の一端が表示範囲内の位置情報に接続される場合に、表示範囲内に含まれる部分の移動軌跡を表示してもよい。
【００３８】
（方向指標表示部１１４）
方向指標表示部１１４は、移動軌跡表示部１１２により表示された移動軌跡に対し、移動方向を示す方向指標を表示させる手段である。例えば、方向指標表示部１１４は、位置情報ログに含まれる位置情報を時系列で参照し、位置情報間の取得時間差が所定値よりも大きい一対の位置情報を結ぶ一又は複数の移動軌跡に対して方向指標を表示させる。例えば、方向指標表示部１１４は、移動軌跡を表す直線又は曲線の端部又は中腹部に移動方向を指向する矢印を表示させる。また、移動軌跡が複数含まれる場合、方向指標表示部１１４は、全ての移動軌跡に方向指標を表示してもよいし、或いは、時間的に最後の移動軌跡にのみ方向指標を表示してもよい。尚、方向指標は、矢印でもよいが、移動軌跡を表す線の太さや色調を段階的又は連続的に変化させることで方向を示すものであってもよい。
【００３９】
（画像情報取得部１１６）
画像情報取得部１１６は、光学系を介して被写体の像を撮影し、その像を撮影画像として記録する。また、画像情報取得部１１６は、撮影画像からサムネイルを生成してもよい。さらに、画像情報取得部１１６は、位置情報ログに含まれる位置情報に基づいて撮影画像の撮影位置を決定し、その撮影位置の情報を撮影画像に対応付けて記録する。また、画像情報取得部１１６は、撮影画像の撮影時点の情報を取得し、撮影画像に対応付けて記録してもよい。つまり、画像情報取得部１１６は、撮影画像、サムネイル、撮影位置、及び撮影時点の情報を画像情報として取得することができる。もちろん、画像情報には、必要に応じて撮影画像、サムネイル、撮影位置、及び撮影時点の一部のみが含まれていてもよい。そして、画像情報取得部１１６は、取得した画像情報を画像情報表示部１１８に伝送する。
【００４０】
（画像情報表示部１１８）
画像情報表示部１１８は、画像情報を表示装置３０に表示させる手段である。例えば、画像情報表示部１１８は、地図情報表示部１０４により表示された地図上に撮影位置を示す指標（以下、撮像指標）として画像情報に含まれる撮影画像又はサムネイルを表示させる。このとき、画像情報表示部１１８は、画像情報に含まれる撮影位置の情報を参照し、地図上の撮影位置に撮影画像又はサムネイルを表示させる。また、画像情報表示部１１８は、画像情報に含まれる撮影時点の情報を参照し、ユーザにより選択された位置情報の取得時点から所定期間内に撮影された撮影画像を地図上に表示してもよい。尚、画像情報表示部１１８は、撮影画像に対応するアイコンを地図上に表示してもよい。
【００４１】
さらに、画像情報表示部１１８は、地図情報表示部１０４により地図情報が表示される表示領域とは別の表示領域に撮影画像又はサムネイルを表示させる。そして、画像情報表示部１１８は、撮影画像を切り替えるための切り替え手段を表示させる。その場合、画像情報表示部１１８は、ユーザにより撮影画像の切り替えが指示されると、別の表示領域に表示される撮影画像又はサムネイルの表示を切り替える。
【００４２】
以上、本実施形態に係る移動情報表示装置１００の機能構成について説明した。上記の構成により、例えば、実際に移動した軌跡が地図上に実線で表示され、所定時間より長く位置情報が未取得であった区間が点線で表示されるため、実際の移動軌跡をユーザが容易に識別することができる。また、位置情報の日付に応じて移動軌跡の表示色が変更されることで、日付を跨ぐ長期旅行の旅程を１日単位で把握することが可能になる。
【００４３】
また、位置情報の取得時間間隔に基づいて所定時間毎に移動方向が表示されるため、移動経路が複雑であっても、ユーザが容易に移動順序を把握することができるようになる。さらに、移動軌跡と共に画像情報が表示されるため、より臨場感溢れる表示形式で旅程を振り返ることが可能になる。そして、移動軌跡が地図情報の表示範囲外に位置する場合に、その移動軌跡が表示されないか、或いは、その一部のみが表示されるため、ユーザが表示領域外に未表示の移動軌跡があることを容易に認識することができる。
【００４４】
［具体例］
ここで、図２を参照しながら、本実施形態に係る移動情報表示画面の構成例について簡単に説明する。図２は、本実施形態に係る移動情報表示画面の構成例を示す説明図である。この移動情報表示画面の構成例は、上記の移動情報表示装置１００が有する機能により実現される。
【００４５】
図２に示すように、表示装置３０上の表示画面には、地図表示領域３２と、画像表示領域３４と、移動ボタン３６とが表示される。
【００４６】
地図表示領域３２には、地図情報が表示され、地図上に複数の経由地点Ｌ１０２、Ｌ１０４、Ｌ１０６、Ｌ１０８、Ｌ１１０、Ｌ１１２、Ｌ１１４、Ｌ１１６、Ｌ１１８、Ｌ１２０、Ｌ１２２、Ｌ１２４、Ｌ１２８と、４種類の移動軌跡Ｐ１０２、Ｐ１０４、Ｐ１０６、Ｐ１０８と、複数の撮像指標Ｃ１０２、Ｃ１０４とが表示されている。尚、説明の便宜上、ユーザは、経由地点Ｌ１０２、Ｌ１０４、Ｌ１０６、Ｌ１０８、Ｌ１１０、Ｌ１１２、Ｌ１１４、Ｌ１１６、Ｌ１１８、Ｌ１２０、Ｌ１２２、Ｌ１２４、Ｌ１２８の順で時系列に移動したものと仮定する。
【００４７】
地図表示領域３２に表示された経由地点を表す丸印の指標は、位置情報ログ取得部１０８により位置情報が取得され、位置情報ログ表示部１１０により表示された位置情報の一例である。一方、地図表示領域３２に表示された経由地点を表すバツ印の指標は、位置情報ログ取得部１０８により位置情報が取得できなかった地点を表し、後段の説明のために描画したものである。
【００４８】
また、地図表示領域３２に表示された４種類の移動軌跡のうち、実線で表現された移動軌跡Ｐ１０２は、位置情報の取得時間差が第１の閾値よりも小さい場合の移動軌跡である。点線で表現された移動軌跡Ｐ１０４は、位置情報の取得時間差が第１の閾値よりも大きく、かつ、第２の閾値よりも小さい場合の移動軌跡である。鎖線で表現された移動軌跡Ｐ１０６は、位置情報の取得時間差が第２の閾値よりも大きい場合の移動軌跡である。一点鎖線で表現された移動軌跡Ｐ１０８は、位置情報の取得時間差が日付を跨ぐ場合の移動軌跡である。
【００４９】
また、経由地点Ｌ１１８から経由地点Ｌ１２０間は、経由地点Ｌ１２０が表示範囲外に位置するため、移動軌跡が表示されていない。さらに、一部の移動軌跡には、方向指標Ａ（矢印）が表示されている。例えば、経由地点Ｌ１０６から経由地点Ｌ１０８に延びる移動軌跡に付された方向指標Ａに注目する。この方向指標Ａは、経由地点Ｌ１０４の位置情報と経由地点Ｌ１０８の位置情報との取得時間差が所定値よりも大きかったために付されたものである。
【００５０】
画像表示領域３４には、例えば、経由地点Ｌ１０６で撮影された撮影画像又はそのサムネイルが表示される。移動ボタン３６は、指定する経由地点を変更するか、或いは、画像表示領域３４に表示された撮影画像又はサムネイルを変更する手段である。例えば、移動ボタン３６が操作されると、画像表示領域３４の表示がブランク表示になるか、或いは、経由地点Ｌ１１８で撮影された撮影画像又はそのサムネイルに切り替わる。
【００５１】
以上、本実施形態に係る移動情報表示画面の構成例について簡単に説明した。以下では、説明の都合上、この移動情報表示画面の構成例に基づき、本実施形態に係る移動情報表示方法の流れについて具体的に説明する。もちろん、本実施形態に係る移動情報表示方法は、上記の移動情報表示画面の構成例に対してのみ適用されるものではない。
【００５２】
［移動情報表示方法］
ここで、図３を参照しながら、本実施形態に係る移動情報表示方法について説明する。図３は、本実施形態に係る移動情報表示方法の流れを示す説明図である。
【００５３】
図３に示すように、まず、地図情報表示部１０４は、地図表示範囲決定部１０２により決定された表示範囲の地図情報を表示する（Ｓ１０２）。ステップＳ１０２において、地図情報表示部１０４は、例えば、フラッシュメモリやハードディスクドライブ等の外部記憶装置、或いは、メモリ等に予め記録された地図情報を読み出して表示装置３０に表示する。また、地図表示範囲決定部１０２は、例えば、移動情報ログに含まれる最近の位置情報、その時点での位置情報、又は撮影位置等の情報を基準にして表示範囲を決定する。
【００５４】
次いで、位置情報ログ取得部１０８は、位置情報ログを取得し、その位置情報ログの中から地図情報の表示範囲に含まれる位置情報を抽出する（Ｓ１０４）。以下、この抽出された位置情報の集合を範囲位置情報ログと呼ぶ場合がある。尚、位置情報ログ取得部１０８は、正常な位置情報のみを選択して範囲位置情報ログを形成してもよい。
【００５５】
次いで、位置情報ログ表示部１１０は、範囲位置情報ログ内にある最近の位置情報を参照し、その位置情報を地図上の対応する位置にプロットする（Ｓ１０６）。さらに、ステップＳ１０６において、位置情報ログ表示部１１０は、プロットされた位置情報の取得時点を「処理済みデータ取得時点」「描画済みデータ取得時点」「進行方向描画済みデータ取得時点」として外部又は内部の記憶装置に記録する。
【００５６】
次いで、位置情報ログ表示部１１０は、範囲位置情報ログの中から位置情報を順次読み出して地図上の対応する位置にプロットする。そして、位置情報ログ表示部１１０は、位置情報間を結ぶ移動軌跡を表示し、全ての位置情報について移動軌跡の表示処理が完了したか否かを判断する（Ｓ１０８）。移動軌跡の表示処理が完了した場合、移動情報表示装置１００は、ステップＳ１１０の処理に進行する。一方、移動軌跡の表示処理が完了していない場合、移動情報表示装置１００は、ステップＳ１１２の処理に進行する。
【００５７】
ステップＳ１１０において、画像情報表示部１１８は、撮影画像の撮影位置に対応して、地図表示領域３２に表示された地図上に撮影地点を表すアイコンを表示する（Ｓ１１０）。例えば、アイコンは、移動軌跡に重ならないように撮影地点の近傍に表示される。さらに、画像情報表示部１１８は、画像表示領域３４に撮影画像又はサムネイルを表示してもよい。そして、移動情報表示装置１００は、移動軌跡の表示処理を終了する。
【００５８】
一方、ステップＳ１１２において、位置情報ログ表示部１１０は、位置情報が正常に測位されたものか否かを判断する（Ｓ１１２）。例えば、位置情報のデータがＮＭＥＡフォーマットに則って測位されたデータである場合、ＧＰＧＧＡセンテンスのＧＰＳ  Ｑｕａｌｉｔｙ  Ｉｎｄｉｃａｔｏｒの値がＤｉｓａｂｌｅｄであれば非正常であると判断され、それ以外の値であれば正常であると判断される。位置情報が正常である場合、移動情報表示装置１００は、ステップＳ１１４の処理に進行する。一方、位置情報が非正常である場合、移動情報表示装置１００は、ステップＳ１３６の処理に進行する。
【００５９】
ステップＳ１１４において、位置情報ログ表示部１１０は、正常な位置情報を地図上にプロットする（Ｓ１１４）。さらに、位置情報ログ表示部１１０は、描画済みデータ取得時点の情報を更新する。次いで、日付判断部１２４は、処理済みデータ取得時点と位置情報の取得時点とを比較して日付が変化しているか否かを判断する（Ｓ１１６）。日付が変化している場合、移動軌跡表示部１１２は、対応する移動軌跡の表示色の設定値を変更する（Ｓ１１８）。このとき、移動軌跡表示部１１２は、例えば、２色をトグルさせたり、１６色の色テーブルから色を切り替えて表示色の設定値を変更してもよい。一方、日付が変化していない場合、移動情報表示装置１００は、ステップＳ１２０の処理に進行する。
【００６０】
ステップＳ１２０において、移動軌跡表示部１１２は、位置情報が地図情報の表示範囲内に位置するか否かを判断し、表示範囲外に位置する位置情報を表示しない。このように、表示範囲外に位置する位置情報は、範囲位置情報ログに含まれない。そこで、移動軌跡表示部１１２は、所定の閾値（以下、軌跡表示閾値）を基準に、処理済みデータ取得時点と位置情報の取得時点との時間差の大小を判断する（Ｓ１２０）。この軌跡表示閾値は、例えば、位置情報ログの取得時間間隔と同じ値に設定されてもよい。時間差が軌跡表示閾値よりも大きい場合、移動情報表示装置１００は、ステップＳ１３６の処理に進行する。一方、時間差が軌跡表示閾値よりも小さい場合、移動情報表示装置１００は、ステップＳ１２２の処理に進行する。
【００６１】
ステップＳ１２２において、時間差判断部１２２は、描画済みデータ取得時点と位置情報の取得時点との間の時間差が第１閾値よりも小さいか否かを判断する（Ｓ１２２）。時間差が第１閾値よりも小さい場合、移動情報表示装置１００は、ステップＳ１２４の処理に進行する。一方、時間差が第１閾値よりも大きい場合、移動情報表示装置１００は、ステップＳ１２６の処理に進行する。この第１閾値は、例えば、位置情報ログの取得時間間隔（例えば、１秒）と同じ値に設定されてもよい。
【００６２】
ステップＳ１２６において、時間差判断部１２２は、上記の時間差が第２閾値よりも小さいか否かを判断する（Ｓ１２６）。時間差が第２閾値よりも小さい場合、移動情報表示装置１００は、ステップＳ１２８の処理に進行する。一方、時間差が第２閾値よりも大きい場合、移動情報表示装置１００は、ステップＳ１３０の処理に進行する。この第２閾値は、ユーザが建造物の間を移動している間に一時的に位置が取得できなくなった場合等を想定し、上記の第１閾値よりも長い時間（例えば、３０秒）が設定される。
【００６３】
ステップＳ１２４において、移動軌跡表示部１１２は、移動軌跡を実線で表示する（Ｓ１２４）。ステップＳ１２８において、移動軌跡表示部１１２は、移動軌跡を点線で表示する（Ｓ１２８）。ステップＳ１３０において、移動軌跡表示部１１２は、移動軌跡を鎖線で表示する（Ｓ１３０）。当然、これらの表示形式の設定は、適宜変更されてもよい。
【００６４】
次いで、方向指標表示部１１４は、進行方向描画済みデータ取得時点と位置情報の取得時点との間の時間差が所定の閾値（以下、方向表示閾値）を越えるか否かを判断する（Ｓ１３２）。時間差が方向表示閾値を越える場合、方向指標表示部１１４は、地図上に方向指標を表示する（Ｓ１３４）。一方、時間差が方向表示閾値を越えない場合、移動情報表示装置１００は、ステップＳ１３６の処理に進行する。この方向指標閾値は、例えば、位置情報ログの取得時間間隔と同じ値であってもよい。
【００６５】
ステップＳ１３６において、移動情報表示装置１００は、処理済みデータ取得時点の情報を更新し（Ｓ１３６）、ステップＳ１０８の処理に進行する。
【００６６】
以上、本実施形態に係る移動情報表示方法の流れについて説明した。上記の方法を用いると、所定の閾値を基準にして移動軌跡の表示形式が好適に変更され、ユーザにとって見易い地図表示が実現される。さらに、方向指標や撮影位置のアイコン等が表示されるため、旅行等の行程や思い出を想起するための非常に有効な手段の提供が期待される。
【００６７】
［ハードウェア構成（撮像装置の例）］
上記装置が有する各構成要素の機能は、例えば、図４に示すハードウェア構成を有する撮像装置により実現することが可能である。図４は、上記装置の各構成要素が有する機能を実現することが可能な撮像装置のハードウェア構成を示す説明図である。
【００６８】
図４に示すように、前記の撮像装置は、主に、制御部（例えば、ＣＰＵ；Ｃｅｎｔｒａｌ  Ｐｒｏｃｅｓｓｉｎｇ  Ｕｎｉｔ）８０２と、位置取得部８０４と、ＲＡＭ（Ｒａｎｄｏｍ  Ａｃｃｅｓｓ  Ｍｅｍｏｒｙ）８０６と、ＲＯＭ（Ｒｅａｄ  Ｏｎｌｙ  Ｍｅｍｏｒｙ）８０８と、バス８１０と、撮像部８１２と、画像処理部８１４と、表示部８１６と、記憶媒体（例えば、Ｆｌａｓｈ  Ｍｅｍｏｒｙ等）８１８とにより構成される。
【００６９】
図中には明示しないが、ユーザによる操作を受け付ける入力部をさらに備えていてもよい。この入力部の機能は、例えば、マウス、キーボード、タッチパネル、ボタン、スイッチ、及びレバー等の操作手段により実現される。また、入力部は、赤外線やその他の電波、或いは、光波等を利用して制御信号を送信することが可能なリモートコントロール手段（所謂、リモコン）であってもよい。
【００７０】
制御部８０２は、例えば、ＣＰＵ等により実現され、ＲＡＭ８０６、ＲＯＭ８０８、又は記録媒体８１８等に記録された各種プログラムに基づいて各構成要素の動作全般又はその一部を制御する。ＲＯＭ８０８は、例えば、制御部８０２に読み込まれるプログラムや演算に用いるデータ等を格納する。ＲＡＭ８０６は、例えば、制御部８０２に読み込まれるプログラムや、そのプログラムを実行する際に適宜変化する各種パラメータ等を一時的又は永続的に格納する。これらの構成要素は、例えば、高速なデータ伝送が可能なバス８１０によって相互に接続されている。
【００７１】
位置取得部８０４は、撮像装置の位置情報を取得する手段である。位置情報取得部８０４は、例えば、通信可能な基地局にアクセスして当該基地局がカバーするエリアの情報を位置情報として取得してもよいし、或いは、測位用の衛星システム（ＧＰＳ；Ｇｌｏｂａｌ  Ｐｏｓｉｔｉｏｎｉｎｇ  Ｓｙｓｔｅｍ）等から位置情報を取得してもよい。位置情報としては、例えば、撮像装置が位置する緯度・経度、又はエリアを特定可能な情報である。
【００７２】
撮像部８１２は、光学系を介して被写体の像を取得する手段である。撮像部８１２は、主に、レンズ８２２と、ＣＣＤ（Ｃｈａｒｇｅ  Ｃｏｕｐｌｅｄ  Ｄｅｖｉｃｅ）８２４と、ＡＦ制御部８２６と、ＡＥ制御部８２８とにより構成される。
【００７３】
レンズ８２２は、光学系を構成し、被写体により反射された光をＣＣＤ８２４に集光する。ＣＣＤ８２４は、半導体素子により構成され、レンズ８２２により集光された光を各素子で受光し、その受光した光を光電変換して出力する固体撮像素子である。ＣＣＤ８２４は、各素子が受光した光の強度に応じて電気信号を出力するため、その電気信号に基づいて画像信号を形成することができる。尚、上記撮像装置は、ＣＣＤ８２４に代えて、他の半導体素子により形成されたイメージセンサーを利用してもよい。ＡＦ制御部８２６は、ピントを自動的に調整するためのオートフォーカス機構である。また、ＡＥ制御部８２８は、シャッター速度や絞り値を自動的に調整するための自動露出（ＡＥ；Ａｕｔｏｍａｔｉｃ  Ｅｘｐｏｓｕｒｅ）制御機構である。
【００７４】
画像処理部８１４は、ＣＣＤ８２４により出力された画像信号を表示部８１６で表示可能な画像データの形式に変換することができる。例えば、画像処理部８１４は、当該画像信号をＢＭＰ、ＧＩＦ、ＪＰＥＧ、ＰＩＣＴ、又はＰＩＮＧ等の符号化形式を有するデータに変換することができる。また、画像処理部８１４は、画像データのサイズを変更したり、輝度や色調を調整したり、或いは、ガンマ補正やシャープネスの調整等をしてもよい。さらに、画像処理部８１４は、撮像部８１２により連続して撮影された複数の画像信号から動画像データを生成してもよい。
【００７５】
表示部８１６は、例えば、ＬＣＤ（Ｌｉｑｕｉｄ  Ｃｒｙｓｔａｌ  Ｄｉｓｐｌａｙ）、ＰＤＰ（Ｐｌａｓｍａ  ＤｉｓｐｌａｙＰａｎｅｌ）、又はＥＬＤ（Ｅｌｅｃｔｒｏ−Ｌｕｍｉｎｅｓｃｅｎｃｅ  Ｄｉｓｐｌａｙ）等のディスプレイ装置であり、取得した情報を利用者に対して視覚的に通知することが可能な装置である。尚、表示部８１６は、タッチパネル式のディスプレイ装置であってもよい。この場合、表示部８１６は、上記の入力部としての機能を兼ねることができる。
【００７６】
記録媒体８１８は、磁気ディスク、光ディスク、光磁気ディスク、又は半導体メモリ等により構成される。例えば、記録媒体８１８は、ＤＶＤメディア、Ｂｌｕ−ｒａｙメディア、ＨＤ−ＤＶＤメディア、コンパクトフラッシュ（ＣＦ；ＣｏｍｐａｃｔＦｌａｓｈ）（登録商標）、メモリースティック、ＳＤメモリカード（Ｓｅｃｕｒｅ  Ｄｉｇｉｔａｌ  ｍｅｍｏｒｙ  ｃａｒｄ）、又はＨＤＤ（Ｈａｒｄ  Ｄｉｓｋ  Ｄｒｉｖｅ）等である。また、撮像装置は、記録媒体８１８として、例えば、非接触型ＩＣチップを搭載したＩＣカード（Ｉｎｔｅｇｒａｔｅｄ  Ｃｉｒｃｕｉｔ  Ｃａｒｄ）や電子機器等を利用してもよい。
【００７７】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００７８】
【図１】本発明の一実施形態に係る移動情報表示装置の構成を示す説明図である。
【図２】同実施形態に係る移動情報表示画面の構成例を示す説明図である。
【図３】同実施形態に係る移動情報表示方法の流れを示す説明図である。
【図４】同実施形態に係る撮像装置のハ−ドウェア構成例を示す説明図である。
【符号の説明】
【００７９】
１０    基地局
３０    表示装置
３２    地図表示領域
３４    画像表示領域
３６    移動ボタン
１００    移動情報表示装置
１０２    地図表示範囲決定部
１０４    地図情報表示部
１０８    位置情報ログ取得部
１１０    位置情報ログ表示部
１１２    移動軌跡表示部
１１４    方向指標表示部
１１６    画像情報取得部
１１８    画像情報表示部
１２２    時間差判断部
１２４    日付判断部
Ａ    方向指標
Ｃ１０２、Ｃ１０４    撮像指標
Ｌ１０２、Ｌ１０４、Ｌ１０６、Ｌ１０８、Ｌ１１０、Ｌ１１２、Ｌ１１４、Ｌ１１６、Ｌ１１８、Ｌ１２０、Ｌ１２２、Ｌ１２４、Ｌ１２８    経由地点
Ｐ１０２、Ｐ１０４、Ｐ１０６、Ｐ１０８    移動軌跡
【図１】
0005176440.tif 000002
【図２】
0005176440.tif 000003
【図３】
0005176440.tif 000004
【図４】
0005176440.tif 000005